(57)【要約】【課題】ヒューマンエラーを起こすことなく、的確に操作機器を操作することができるようにした機器誤認操作防止用タブレット及び機器誤認操作防止ユニットを提供する。【解決手段】機器誤認操作防止用タブレットは、複数の固定ピン２ａを基盤２ｂに突設した取付台座２と、固定ピン２ａが貫通する掛止孔１０ａ，２０ａを線対称に設けた２枚一組の札状のＡ，Ｂ操作札１０，２０とを組み合わせ、Ａ，Ｂ操作札１０，２０が取付台座２に重ね合わされる。取付台座２には基盤２ｂを貫通して長さ方向に進退する２本の可動ピン２ｃ，２ｄが備えられ、Ｂ操作札２０には第２の可動ピン２ｄが貫通するスルーホール２０ｄが設けられ、Ａ操作札１０には、第１の可動ピン２ｃが貫通するスルーホール１０ｃが設けられている。また、機器誤認操作防止ユニットは、前記機器誤認操作防止用タブレットと、可動部３０ａが固定部３０ａに接離する複数か所の接点３０とを組み合わせたものである。【選択図】図３
2012016191.tif 000002
【特許請求の範囲】
【請求項１】
複数の固定ピンを基盤に突設した取付台座と、前記固定ピンが貫通する掛止孔を設けた複数枚の札状の操作札とを組み合わせ、前記操作札が前記取付台座に重ね合わされる機器誤認操作防止用タブレットであって、
前記取付台座には、基盤を貫通して長さ方向に進退する複数本の可動ピンが備えられ、前記一方の操作札には、ある可動ピンが貫通するスルーホールが設けられ、他方の操作札には、別の可動ピンが貫通するスルーホールが設けられていることを特徴とする機器誤認操作防止用タブレット。
【請求項２】
前記取付台座は、２枚一組とされ、前記各固定ピンが線対称に突設され、前記操作札は、２枚一組とされ、表面同士又は裏面同士を向き合わせて重ね合わされる合札であって、前記各掛止孔が線対称に設けられていることを特徴とする請求項１に記載の機器誤認操作防止用タブレット。
【請求項３】
前記可動ピンは、押されなくなると、元の位置に戻る自動復帰機能を備えていることを特徴とする請求項１又は２に記載の機器誤認操作防止用タブレット。
【請求項４】
請求項１ないし３のいずれか１項に記載の機器誤認操作防止用タブレットと、可動部が固定部に接離する複数か所の接点とが組み合わされた機器誤認操作防止ユニットであって、
前記取付台座の表面に一方の操作札が重ね合わされ、該操作札の表面に他方の操作札が重ね合わされることで、複数本の可動ピンが取付台座の裏面から突出し、該複数本の可動ピンが前記各可動部を押圧し、該可動部が固定部に当接することによって閉状態となるように、取付台座と各接点とが近接して配置されていることを特徴とする機器誤認操作防止ユニット。
【発明の詳細な説明】
【技術分野】
【０００１】
本発明は、例えば、指令所と作業現場とで使用され、作業現場の機器を誤ることなく操作することができるようにした機器誤認操作防止用タブレット及びこの機器誤認操作防止用タブレットによって開閉する接点が組み合わされた機器誤認操作防止ユニットに関する。
【背景技術】
【０００２】
例えば、発変電所においては、図５ないし図９に示すように、指令所Ｘと作業現場Ｙとの間において機器誤認操作防止タブレットが使用されている。
【０００３】
この機器誤認操作防止タブレットは、指令所Ｘ内で所内結線表示板用又は模擬母線用として使用される複数（１枚のみ図示）の取付台座（以下、「表示用の取付台座」という。）１、作業現場Ｙに設置される複数（１枚のみ図示）の取付台座（以下、「機器用の取付台座」という。）２、そして、各取付台座１，２に着脱される２枚一組の札（ふだ）状の操作札１０，２０を複数組（一組のみ図示）、組み合わせたものである。
【０００４】
表示用の取付台座１も機器用の取付台座２も鉛直姿勢で設置され、特定の操作札１０，２０が特定の取付台材１，２に鉛直姿勢で吊り下げられるように重ね合わされることで、作業現場Ｙの操作機器（図示せず）を誤りなく操作できるようになっている。なお、操作機器としては、図５ないし図９に示さないが、キュービクル内から出し入れされる真空遮断器（以下、「遮断器」という。）などがある。
【０００５】
ここで、機器誤認操作防止タブレットについて詳しく説明すると、表示用の取付台座１及び機器用の取付台座２には、複数本（図面では３本）の固定ピン１ａ，２ａが突設されているが、表示用の取付台座１の固定ピン１ａと、機器用の取付台座２の固定ピンと２ａは線対称に配置されている。そして、表示用の取付台座１及び機器用の取付台座２は複数組備えられているが、固定ピン１ａ，２ａは表示用の取付台座１と機器用の取付台座２それぞれの組ごとに固有の位置に突設されている。
【０００６】
また、２枚一組として使用される操作札１０，２０は、表示用の取付台座１及び機器用の取付台座２の固定ピン１ａ，２ａが貫通する掛止孔１０ａ，２０ａを線対称に設けた合札である。したがって、２枚一組の操作札１０，２０に形成された掛止孔１０ａ，２０ａも当然、各表示用の取付台座１及び機器用の取付台材２に対応して複数種類設けられている（図面では１種類のみ示す。）。
【０００７】
そして、機器誤認操作防止タブレットは、特定の操作札１０，２０のみが特定の表示用の取付台座１及び機器用の取付台材２に重ね合わせることができ、特定でない操作札（１０，２０）は、特定の表示用の取付台座１及び機器用の取付台座２に重ね合わせることができないようにされている。また、各操作札１０，２０には、例えば、一方の面（例えば表面）に赤色を塗布して「機器番号」（図示せず）及び「押入」又は「切」などの文字が刻印され、他方の面（例えば裏面）に緑色を塗布して「機器番号」（図示せず）及び「引出」又は「入」などの文字が刻印されている。
【０００８】
ここで、このような機器誤認操作防止タブレットの使用方法について説明する。当初、図５（ａ）（ｂ）に示すように、指令所Ｘのある表示用の取付台座１に重ね合わされたある操作札（以下、「Ａ操作札」という。）１０は、「押入」という文字を露出（表示）し、作業現場Ｙのある機器用の取付台座２に重ね合わされた操作札（以下、「Ｂ操作札」という。）２０も、「押入」という文字を露出（表示）しているとする。なお、Ａ，Ｂ操作札１０，２０が各取付台座１，２と重なり合っている裏面には「引出」という文字が刻印されている。また、作業現場Ｙのある操作機器は、遮断器がキュービクル内に押し入れられている。
【０００９】
そして、この遮断器をキュービクル内から引き出す場合は、図６に示すように、指令所Ｘの表示用の取付台座１に重ね合わされたＡ操作札１０を外し、表裏を反転した上、図７に示すように、このＡ操作札１０を作業現場Ｙの機器用の取付台座２に重ね合わせる。機器用の取付台座２に突設された固定ピン２ａが表示用の取付台座１に突設された固定ピン１ａと線対称とされているため、Ａ操作札１０は、表裏反転されることで、機器用の取付台座２に重ね合わせることができる。また、特定のＡ操作札１０の掛止孔１０ａは、特定でない他の機器用の取付台座２に突設された固定ピン２ａと合わず、特定のＡ操作札１０のみが特定の機器用の取付台座２に重ね合わせられる。
【００１０】
そして、表裏反転したＡ操作札１０には、「引出」という文字が表示される。したがって、作業者は、このＡ操作札１０に対応した操作機器の遮断器を引き出すという指示を受けていることを確認（照合）し、操作機器の遮断器をキュービクル内から引き出す。このとき、Ａ操作札１０と機器用の取付台座２との間には、Ｂ操作札２０が挟まれている。
【００１１】
その後、作業者は、Ａ操作札１０とＢ操作札２０を機器用の取付台座２から一旦、外し、図８に示すように、Ａ操作札１０を再び機器用の取付台座２に重ね合わせる。そして、作業者は、図９に示すように、表示用の取付台座１の固定ピン１ａをＢ操作札２０の掛止孔２０ａに挿通することで、Ｂ操作札２０を指令所Ｘの表示用の取付台座１に重ね合わせる。Ｂ操作札２０は、機器用の取付台座２に重ね合わされていたときと表裏反転して表示用の取付台座１に重ね合わされるため、「引出」という文字が露出（表示）される。したがって、指令所Ｘでは、操作機器の遮断器がキュービクル内から引き出されていることを確認できる。
【００１２】
前記のようなタブレットを用いた機器誤認操作防止方法及びそのタブレットについての発明が特許文献１に記載されている。
【先行技術文献】
【特許文献】
【００１３】
【特許文献１】特開２００８−１１８７９４号公報
【発明の概要】
【発明が解決しようとする課題】
【００１４】
前記のような機器誤認操作防止タブレットにあっては、作業者が特定の操作札１０，２０を特定の機器用の取付台座２に重ね合わせ、確認（照合）することにより、特定の操作機器の遮断器をキュービクル内から引き出すようになっている。換言すれば、作業者は、特定の操作札を特定の機器用の取付台座２に重ね合わせなくても（照合しなくても）、操作機器の遮断器をキュービクル内から引き出すことができる。したがって、従来の機器誤認操作防止タブレットにあっては、作業者が特定でない操作機器の遮断器をキュービクル内から誤って引き出し（ヒューマンエラー）、停電などの事故を起こし得るものとなっている。
【００１５】
そこで、本発明は、ヒューマンエラーを起こすことなく、的確に操作機器を操作することができるようにした機器誤認操作防止用タブレット及び機器誤認操作防止ユニットを提供することを課題とする。
【課題を解決するための手段】
【００１６】
本発明に係る機器誤認操作防止用タブレットは、複数の固定ピンを基盤に突設した取付台座と、前記固定ピンが貫通する掛止孔を設けた複数枚の札状の操作札とを組み合わせ、前記操作札が前記取付台座に重ね合わされる機器誤認操作防止用タブレットであって、前記取付台座には、基盤を貫通して長さ方向に進退する複数本の可動ピンが備えられ、前記一方の操作札には、ある可動ピンが貫通するスルーホールが設けられ、他方の操作札には、別の可動ピンが貫通するスルーホールが設けられていることを特徴としている。
【００１７】
この機器誤認操作防止用タブレットによれば、複数枚（例えば２枚）の札（ふだ）状の操作札が取付台座に重ね合わされていない状態においては、複数本（例えば２本）の可動ピンが複数枚（例えば２枚）の操作札に押されないことから、取付台座の裏面側から突出しておらず、特定の１枚目の操作札が取付台座に重ね合わされると、一方の可動ピンがこの操作札のスルーホールを貫通するが、他方の可動ピンがこの操作札に押されることで、取付台座の裏面側から突出し、そして、この１枚目の操作札に２枚目の特定の操作札が重ね合わされると、１枚目の操作札のスルーホールを貫通した一方の可動ピンがこの２枚目の操作札に押されることで、取付台座の裏面から突出する。
【００１８】
すなわち、この機器誤認操作防止用タブレットは、複数の固定ピンが１枚目の操作札に設けられた掛止孔を貫通するとともに、一方の可動ピンが１枚目の操作札のスルーホールを貫通するが、他方の可動ピンが１枚目の操作札によって押されることで、取付台座の裏面から突出するものとなっている。換言すれば、この機器誤認操作防止用タブレットは、特定の操作札が特定の取付台座に重ね合わされないと、複数の固定ピンが１枚目の操作札に設けられた掛止孔を貫通しないため、いずれの可動ピンもいずれの操作札によっても押されず、取付台座の裏面から突出しない。
【００１９】
また、前記本発明に係る機器誤認操作防止用タブレットにおいて、前記取付台座は、２枚一組とされ、前記各固定ピンが線対称に突設され、前記操作札は、２枚一組とされ、表面同士又は裏面同士を向き合わせて重ね合わされる合札であって、前記各掛止孔が線対称に設けられていることが好ましい。
【００２０】
この機器誤認操作防止用タブレットによれば、操作札が２枚一組の合札とされ、掛止孔が線対称に設けられることにより、各操作札を各取付台座に表裏反転して重ね合わせるものとすることができる。
【００２１】
また、前記本発明に係る機器誤認操作防止用タブレットにおいて、前記可動ピンは、押されなくなると、元の位置に戻る自動復帰機能を備えていることことが好ましい。
【００２２】
この機器誤認操作防止用タブレットによれば、可動ピンが自動復帰機能を備えていることにより、取付台座は、可動ピンを押した複数枚（例えば２枚）の操作札を取付台座から外すと、取付台座の裏面から突出した可動ピンが自動的に元の位置に戻るものとされている。
【００２３】
また、本発明に係る機器誤認操作防止ユニットは、前記本発明に係る機器誤認操作防止用タブレットと、可動部が固定部に接離する複数か所の接点とが組み合わされた機器誤認操作防止ユニットであって、前記取付台座の表面に一方の操作札が重ね合わされ、該操作札の表面に他方の操作札が重ね合わされることで、複数本の可動ピンが取付台座の裏面から突出し、該複数本の可動ピンが前記各可動部を押圧し、該可動部が固定部に当接することによって閉状態となるように、取付台座と各接点とが近接して配置されていることを特徴としている。
【００２４】
この機器誤認操作防止ユニットによれば、可動部と固定部とが通常は離間して開状態となっている接点は、複数枚（例えば２枚）の操作札が取付台座に重ね合わされ、可動ピンが複数枚（例えば２枚）の操作札に押されて、裏面から突出することで、可動部が固定部に当接し、閉状態とすることができる。
【発明の効果】
【００２５】
本発明によれば、複数枚の操作札が取付台座の表面側に重ね合わされることにより、複数本の可動ピンが取付台座の裏面側から突出するようにした機器誤認操作防止用タブレット及びこの機器誤認操作防止用タブレットを備えた機器誤認操作防止ユニットが提供されることにより、ヒューマンエラーをなくし、事故を防止することができる。
【図面の簡単な説明】
【００２６】
【図１】（ａ）は本発明に係る機器誤認操作防止用タブレットの一実施形態を示す概略分解斜視図、（ｂ）は本発明に係る機器誤認操作防止ユニットの一実施形態を示す概略側面図である。
【図２】（ａ）は本発明に係る機器誤認操作防止用タブレットの一実施形態を示す概略斜視図、（ｂ）は本発明に係る機器誤認操作防止ユニットの一実施形態であって、一方の接点が入の状態を示す概略側面図である。
【図３】（ａ）は本発明に係る機器誤認操作防止用タブレットの一実施形態を示す概略斜視図、（ｂ）は本発明に係る機器誤認操作防止ユニットの一実施形態であって、両方の接点が入の状態を示す概略側面図である。
【図４】（ａ）は本発明に係る機器誤認操作防止用タブレットの一実施形態を示す概略斜視図、（ｂ）は本発明に係る機器誤認操作防止ユニットの一実施形態であって、他方の接点が入の状態を示す概略側面図である。
【図５】従来の機器誤認操作防止タブレットの一例であって、（ａ）は分解概略斜視図、（ｂ）は概略斜視図である。
【図６】従来の機器誤認操作防止タブレットの一例であって、操作札を交換する途中を示す概略斜視図である。
【図７】従来の機器誤認操作防止タブレットの一例であって、操作札を交換する途中を示す概略斜視図である。
【図８】従来の機器誤認操作防止タブレットの一例であって、操作札を交換する途中を示す概略斜視図である。
【図９】従来の機器誤認操作防止タブレットの一例であって、操作札を交換し終えた状態を示す概略斜視図である。
【発明を実施するための形態】
【００２７】
本発明に係る機器誤認操作防止用タブレット及び機器誤認操作防止ユニットの一実施形態について図１ないし図４を参照しながら説明する。なお、従来と同一に相当する部分は、同一符号を付して説明する。
【００２８】
この機器誤認操作防止用タブレットは、例えば、従来と同様、指令所Ｘ内に鉛直姿勢で設置される複数の表示用の取付台座１（図５ないし図９参照）、作業現場Ｙで鉛直姿勢で設置される複数（１枚のみ図示）の機器用の取付台座２、特定の取付台座１，２専用に着脱される２枚一組の札（ふだ）状の操作札１０，２０を複数組（Ａ，Ｂの一組のみ図示）、組み合わせたものである。
【００２９】
しかし、従来と異なり、機器用の取付台座２は、基盤２ｂに複数（図面では２本）の固定ピン２ａを表面側に突出するとともに、２本の可動ピン２ｃ，２ｄ（以下、「第１の可動ピン２ｃ」「第２の可動ピン２ｄ」という。）が基盤２ｂを貫通し、長さ方向に進退するようにされている。なお、固定ピン２ａと可動ピン２ｃ，２ｄは、一直線に並んだ状態のものを図示してあるが、実際は、特定の取付台座１，２と特定のＡ，Ｂ操作札１０，２０とが組み合わされるように種々の位置に突設されている。
【００３０】
また、可動ピン２ｃ，２ｄは、表面側から押されて裏面側に突出するが、押されなくなると、自動的に元の位置に復帰する自動復帰機能（機構は図示せず）を備えている。ただし、可動ピン２ｃ，２ｄは、自動復帰機能を備えていなくても、手操作で元の位置に戻されるようにしてもよい。
【００３１】
一方、表示用の取付台座１には、従来と同様、機器用の取付台座２の固定ピン２ａと線対称に、複数本（図面では２本）の固定ピン１ａが突設され、可動ピンが備えられていない（図５ないし図９参照）。
【００３２】
したがって、Ａ，Ｂ操作札１０，２０には、表面同士又は裏面同士を同一方向に向けたときに、掛止孔１０ａ，２０ａが線対称となるように設けられている。なお、Ａ，Ｂ操作札１０，２０は、図示しないが、必要に応じて、例えば、一方の面（例えば表面）に赤色を塗布して「機器番号」及び「押入」又は「切」などの文字が刻印され、他方の面（例えば裏面）に緑色を塗布して「機器番号」及び「引出」又は「入」などの文字が刻印されている。
【００３３】
そして、Ａ操作札１０には、機器用の取付台座２に重ね合わせたときに、あるいは機器用の取付台座２に重ね合わされたＢ操作札２０に重ね合わされたときに、第１の可動ピン２ｃを押す位置にスルーホール１０ｃが設けられ、第２の可動ピン２ｄが貫通する第２のスルーホールが設けられていない。
【００３４】
また、Ｂ操作札２０には、機器用の取付台座２に重ね合わされたときに、あるいは機器用の取付台座２に重ね合わされたＡ操作札１０に重ね合わされたときに、第１の可動ピン２ｃが貫通するスルーホールが設けられず、第２の可動ピン２ｄが貫通するスルーホール２０ｄが設けられている。
【００３５】
そして、機器誤認操作防止ユニットは、機器用の取付台座２の裏面側に、第１の接点３１と第２の接点３２とを組み合わせた接点３０を配置したものとされている。各接点３１，３２は、接離する可動部３１ａ，３２ａと固定部３０ａとを組み合わせたものであり、可動部３１ａ，３２ａは、前記可動ピン２ｃ，２ｄが裏面側に突出したときに押され、固定部３０ａに当接するように機器用の取付台座２に近接して配置されている。
【００３６】
そして、各接点３１，３２は、可動部３１ａ，３２ａと固定部３０ａとが当接すると、「入」の状態となり、離間すると、「切」の状態となる。したがって、全体としての接点３０は、二つの接点がともに「入」の状態となると「入」となり、一方でも離間していると、「切」の状態となる。
【００３７】
なお、各接点３１，３２は、リンクによって機構的に接離するものであってもよいし、電気的に通電したり遮断したりするものとしてもよい。いずれにしても、可動部３１ａ，３２ａは、可動ピン２ｃ，２ｄに押されなくなると、自動的に固定部３０ａから離間するようにされている。
【００３８】
ここで、機器誤認操作防止用タブレット及び機器誤認操作防止ユニットの使用方法について説明する。
【００３９】
当初、図２に示すように、Ｂ操作札２０が作業現場Ｙの機器用の取付台座２に重ね合わされているとする。このとき、機器用の取付台座２に突設された２本の固定ピン２ａがＢ操作札２０の掛止孔２０ａを貫通し、第２の可動ピン２ｄがＢ操作札２０のスルーホール２０ｄを貫通することで、特定のＢ操作札２０が特定の機器用の取付台座２に重ね合わされていることが確認される。
【００４０】
そして、第１の可動ピン２ｃがＢ操作札２０に押されて機器用の取付台座２の裏面から突出している。この第１の可動ピン２ｃは、図２（ｂ）に示すように、第１の接点３１の可動部３１ａを押し、この可動部３１ａを固定部３０ａに当接させることで、第１の接点３１は「入」の状態となっている。
【００４１】
しかし、第２の可動ピン２ｄは、Ｂ操作札２０のスルーホール２０ｄを貫通し、機器用の取付台座２の裏面から突出していないため、第２の接点３２は、可動部３２ａが固定部３０ａから離間して、「切」の状態となっている。したがって、全体としての接点３０は、「切」となっている。
【００４２】
そして、図３に示すように、Ａ操作札１０が指令所Ｘから作業現場Ｙまで運ばれ、機器用の取付台座２に重ね合わされているＢ操作札２０の上にＡ操作札１０が重ね合わされると、機器用の取付台座２に突設され、Ｂ操作札２０の掛止孔２０ａを貫通している２本の固定ピン２ａがＡ操作札１０の掛止孔１０ａを貫通するが、第２の可動ピン２ｄは、Ａ操作札１０に押されて機器用の取付台座２の裏面から突出する。
【００４３】
すると、第２の可動ピン２ｄは、図３（ｂ）に示すように、第２の接点３２の可動部３２ａを押し、この可動部３２ａを固定部３０ａに当接させることで、第２の接点３２は、「入」の状態となる。すでに、第１の接点３１は、「入」の状態となっているため、全体としての接点３０は、「入」となる。
【００４４】
そして、図１に示すように、Ａ操作札１０とＢ操作札２０が機器用の取付台座２から一旦、外されると、掛止孔１０ａ，２０ａが２本の固定ピン２ａから外れ、スルーホール１０ｃ，２０ｄが第１，第２の可動ピン２ｃ，２ｄから外れ、自動復帰機能を備えた第１，第２の可動ピン２ｃ，２ｄは、自動的に機器用の取付台座２の表面側に戻る。
【００４５】
そして、第１，第２の可動ピン２ｃ，２ｄが第１，第２の接点３１，３２の可動部３１ａ，３２ａを押さなくなることで、全体としての接点３０は「切」の状態となる。なお、自動復帰機能を備えていない第１，第２の可動ピン２ｃ，２ｄにあっては、作業者が第１，第２の可動ピン２ｃ，２ｄを機器用の取付台座２の表面側に引っ張る。
【００４６】
そして、図４に示すように、Ａ操作札１０のみ再び機器用の取付台座２に重ね合わせると、機器用の取付台座２に突設された２本の固定ピン２ａがＡ操作札１０の掛止孔１０ａを貫通し、第１の可動ピン２ｃがＡ操作札１０のスルーホール１０ｃを貫通し、Ａ操作札に押された第２の可動ピン２ｄが機器用の取付台座２の裏面から突出する。
【００４７】
この第２の可動ピン２ｄは、図４（ｂ）に示すように、第２の接点３２の可動部３２ａを押して、固定部３０ａに当接することで、第２の接点３２は「入」の状態となる。しかし、第１の可動ピン２ｃは、第１の接点３１の可動部３１ａを押さないことから、第１の接点３１は、可動部３１ａが固定部３０ａから離間して、「切」の状態となっているため、全体としての接点３０は「切」となっている。
【００４８】
そして、Ｂ操作札２０が指令所Ｘで表示用の取付台座１に重ね合わされるときは、表示用の取付台座１の固定ピン１ａが機器用の取付台座２の固定ピン２ａと線対称に突設されているため、表裏反転される。
【００４９】
このＢ操作札２０は、機器用の取付台座２に重ね合わされているＡ操作札１０に重ね合わせることで、全体としての接点３０は「入」となる。すなわち、Ａ，Ｂ操作札１０，２０には、スルーホール１０ｃ，２０ｄを設ける部分と設けない部分とを備えることで、Ａ，Ｂ操作札１０，２０を機器用の取付台座２に重ね合わせる順序を考慮することなく、全体としての接点３０を「入」「切」することができる。
【００５０】
なお、本発明は、前記の実施形態に限定することなく、種々変更することができる。例えば、取付台座１，２は、表示用と機器用とに使い分けないで、２か所において接点３０を入・切するようにしてもよく、この場合は、２か所の取付台座１，２とも可動ピン２ｃ，２ｄを備えたものとする。また、操作札は、３枚以上一組としてもよいし、２枚又は３枚以上の操作札には、３本以上の固定ピン２ａ又は可動ピン２ｃ，２ｄを設けてもよい。
【符号の説明】
【００５１】
１…………取付台座
１ａ………固定ピン
２…………取付台座
２ａ………固定ピン
２ｂ………基盤
２ｃ………（第１の）可動ピン
２ｄ………（第２の）可動ピン
１０………操作札
１０ａ……掛止孔
１０ｃ……スルーホール
２０………操作札
２０ａ……掛止孔
２０ｄ……スルーホール
３０………接点
３０ａ……可動部
３０ｂ……固定部
３１………（第１の）接点
３２………（第２の）接点
【図１】
2012016191.tif 000003
【図２】
2012016191.tif 000004
【図３】
2012016191.tif 000005
【図４】
2012016191.tif 000006
【図５】
2012016191.tif 000007
【図６】
2012016191.tif 000008
【図７】
2012016191.tif 000009
【図８】
2012016191.tif 000010
【図９】
2012016191.tif 000011